(57)【要約】【課題】エレベータの乗りかごに設けられた照明装置において、照明灯の交換作業の際に、効率よく作業ができるようにする。【解決手段】照明装置１４は、乗りかごの天井１２に取り付けられた照明板２０の位置がずれないように、天井１２に照明板２０を固定する固定部２４と、照明板２０を固定するときの固定部２４の固定動作と照明板２０の固定を解除するときの固定部２４の解除動作とに連動して、照明灯１８を制御するスイッチ部３０とを有する。この構成により、照明板２０の固定の解除動作に連動して、照明灯１８を消灯させることができるので、作業効率が向上する。【選択図】図２
2010132446.tif 000002
【特許請求の範囲】
【請求項１】
エレベータの乗りかごの天井に設けられる照明灯と、
照明灯を保護し、乗りかごの天井面の一部となる照明板と、
を有するエレベータの照明装置において、
乗りかごの天井に取り付けられた照明板の位置がずれないように、天井に照明板を固定する固定部と、
照明板を固定するときの固定部の固定動作と照明板の固定を解除するときの固定部の解除動作とに連動して、照明灯を制御するスイッチ部と、
を有することを特徴とするエレベータの照明装置。
【請求項２】
請求項１に記載のエレベータの照明装置において、
固定部の解除動作により、スイッチ部が照明灯を消灯させる、
ことを特徴とするエレベータの照明装置。
【請求項３】
請求項１または２に記載のエレベータの照明装置において、
固定部の固定動作により、スイッチ部が照明灯を点灯させる、
ことを特徴とするエレベータの照明装置。
【請求項４】
請求項１から３のいずれか１つに記載のエレベータの照明装置において、
エレベータの乗りかごに設けられ、スイッチ部により制御される非常灯を有し、
固定部の解除動作により、スイッチ部が非常灯を点灯させる、
ことを特徴とするエレベータの照明装置。
【請求項５】
請求項４に記載のエレベータの照明装置において、
固定部の固定動作により、スイッチ部が非常灯を消灯させる、
ことを特徴とするエレベータの照明装置。
【請求項６】
請求項１から５のいずれか１つに記載のエレベータの照明装置において、
固定部は、照明板とスイッチ部との間を可動する可動部を有し、
可動部は、固定動作のときにスイッチ部から照明板へ可動して照明板に係合し、解除動作のときに照明板からスイッチ部へ可動してスイッチ部を押圧操作する、
ことを特徴とするエレベータの照明装置。
【請求項７】
請求項１から６のいずれか１つに記載のエレベータの照明装置において、
乗りかごの天井と照明板とを連結する連結部を有し、
固定部の解除動作により、照明板は連結部を中心に下方に回動する、
ことを特徴とするエレベータの照明装置。
【請求項８】
請求項７に記載のエレベータの照明装置において、
固定部は、照明板の一端部側に設けられ、
連結部は、ヒンジであり、照明板の一端部に対向する他端部側に設けられる、
ことを特徴とするエレベータの照明装置。
【発明の詳細な説明】
【技術分野】
【０００１】
本発明は、エレベータの乗りかごに設けられる照明装置の改良に関する。
【背景技術】
【０００２】
エレベータの乗りかごには、乗りかご内を照明する照明装置が備えられている。この照明装置は、乗りかごの天井に設けられる照明灯と、照明灯を保護し、乗りかごの天井面の一部となる照明板とを有する。
【０００３】
照明灯が故障した場合、故障した照明灯から新規の照明灯に交換する交換作業が行われる。この交換作業の手順について具体的に説明する。
【０００４】
まず、照明灯を消灯させる。照明灯の消灯は、スイッチの操作により行われる。スイッチは、通常、乗りかご内の操作盤の内部に設けられている。操作盤の扉は、通常運転時には、施錠が施されている。そこで、操作盤の内部のスイッチを操作するために、操作盤の鍵を用意する必要がある。
【０００５】
また、スイッチの操作により照明灯が消灯すると、乗りかご内が暗くなってしまい交換作業ができない。そこで、乗りかご内を照明する仮設の照明器具（例えば投光器）を用意するか、エレベータホールの照明装置で乗りかご内を照明するために、乗りかごの扉を開放させる必要がある。
【０００６】
照明灯を消灯させて乗りかご内の照明が確保されると、次に照明板を天井から取り外す。取り外された照明板は、破損しないように、乗りかご内の隅に立てかけるか、エレベータホールに搬出する。そして、故障した照明灯を天井から取り外し、新規の照明灯を天井に取り付ける。その後、スイッチの操作により、新規の照明灯が点灯することを確認する。点灯の確認ができれば、復旧作業を行い、交換作業が終了する。
【０００７】
下記特許文献１には、エレベータかごの天井に埋め込まれた照明箱と、照明箱に設けられた照明器具と、照明器具を保護し、エレベータかごの天井面の一部となる照明板とを有するエレベータかごの照明装置が記載されている。
【０００８】
【特許文献１】特開２００１−３３５２６３号公報
【発明の開示】
【発明が解決しようとする課題】
【０００９】
しかしながら、上述したような従来の照明装置においては、照明灯の交換作業をするときに、いくつかの不具合があった。
【００１０】
一つは、照明灯のスイッチが操作盤の内部にあり、この操作盤の扉が施錠されていることである。このため、交換作業前に、鍵の保管場所から鍵をわざわざ取ってこなければならず、作業効率が悪化してしまう。
【００１１】
もう一つは、スイッチの操作により照明灯を消灯させると、乗りかご内が暗くなってしまうことである。このため、交換作業前に、乗りかご内を照明する手段をわざわざ用意しなければならず、作業効率が悪化してしまう。
【００１２】
さらに一つは、乗りかごの天井から照明板を取り外さなければいけないことである。取り外した照明板は作業中に他の物体との接触などにより傷つき、または破損してしまうおそれがあるため、取り扱いに注意しなければならず、作業効率が悪化してしまう。
【００１３】
本発明の目的は、少なくとも一つの課題を解決するためになされたものであって、照明灯の交換作業の際に、作業効率の向上を図ることができるエレベータの照明装置を提供することにある。
【課題を解決するための手段】
【００１４】
本発明は、エレベータの乗りかごの天井に設けられる照明灯と、照明灯を保護し、乗りかごの天井面の一部となる照明板と、を有するエレベータの照明装置において、乗りかごの天井に取り付けられた照明板の位置がずれないように、天井に照明板を固定する固定部と、照明板を固定するときの固定部の固定動作と照明板の固定を解除するときの固定部の解除動作とに連動して、照明灯を制御するスイッチ部と、を有することを特徴とする。
【００１５】
また、固定部の解除動作により、スイッチ部が照明灯を消灯させることを特徴とする。
【００１６】
また、固定部の固定動作により、スイッチ部が照明灯を点灯させることを特徴とする。
【００１７】
また、エレベータの乗りかごに設けられ、スイッチ部により制御される非常灯を有し、固定部の解除動作により、スイッチ部が非常灯を点灯させることを特徴とする。
【００１８】
また、固定部の固定動作により、スイッチ部が非常灯を消灯させることを特徴とする。
【００１９】
また、固定部は、照明板とスイッチ部との間を可動する可動部を有し、可動部は、固定動作のときにスイッチ部から照明板へ可動して照明板に係合し、解除動作のときに照明板からスイッチ部へ可動してスイッチ部を押圧操作することができる。
【００２０】
また、乗りかごの天井と照明板の一端部とを連結するヒンジ部を有し、固定部の解除動作により、照明板はヒンジ部を中心に下方に回動することができる。
【００２１】
また、固定部は、照明板の一端部側に設けられ、連結部は、ヒンジであり、照明板の一端部に対向する他端部側に設けられることを特徴とする。
【発明の効果】
【００２２】
本発明のエレベータの照明装置によれば、照明灯の交換作業の際に、作業効率の向上を図ることができる。
【発明を実施するための最良の形態】
【００２３】
以下、本発明に係るエレベータの照明装置の実施形態について、図に従って説明する。
【００２４】
まず、本実施形態に係る照明装置１４の構成について、図１を用いて説明する。照明装置１４は、エレベータの乗りかご１０の天井１２に設けられ、乗りかご１０の内部を照明する装置である。
【００２５】
照明装置１４は、天井１２に埋め込まれる照明箱１６と、照明箱１６に設けられる照明灯１８と、照明灯１８を保護し、乗りかご１０の天井面１２ａの一部となる照明板２０とを有する。
【００２６】
照明箱１６は、内部が中空であり、この内部の天井面には、回路基板（図示せず）が設けられている。そして、回路基板には、照明箱１６の下面方向にある乗りかご１０内部を照明できるように、照明灯１８が２つ設けられている。なお、照明灯１８の個数は一例であって、本発明は照明灯１８の数２個に限定されない。
【００２７】
照明箱１６の下面には、照明板２０が設けられている。照明板２０は、照明灯１８の光を透光するとともに、照明灯１８が損傷しないように照明灯１８を保護する。
【００２８】
また、照明装置１４は、非常時、例えば停電などの災害時に、乗りかご１０の内部を照明する非常灯２２を有する。本実施形態においては、非常灯２２は、天井１２に埋め込まれて設けられる。なお、この構成に限定されず、非常灯２２を照明箱１６の内部に設けることもできる。
【００２９】
次に、照明装置１４の詳細な構成について、図２を用いて説明する。本実施形態に係る照明装置１４は、天井１２に取り付けられた照明板２０の位置がずれないように、天井１２に照明板２０を固定する固定部２４と、照明板２０を固定するときの固定部２４の固定動作と照明板２０の固定を解除するときの固定部２４の解除動作とに連動して、照明灯１８を制御するスイッチ部３０と、天井１２と照明板２０とを連結する連結部３２とを有する。
【００３０】
固定部２４は、照明板２０の端部付近の照明箱１６に配置される。固定部２４は、照明箱１６の内壁に設けられたスライド部２６と、スライド部２６にスライド可能に設けられた可動部２８とを有する。スイッチ部３０は、照明箱１６に、固定部２４に接近して配置される。連結部３２は、ヒンジであり、固定部２４近傍の照明板２０の端部とは対向する照明板２０の端部に設けられる。
【００３１】
固定部２４とスイッチ部３０との詳細な構成について、図３及び４を用いて説明する。図３は、固定部２４が照明板２０を固定しているときの、固定部２４とスイッチ部３０との詳細な構成を示す図であり、図４は、固定部２４が照明板２０の固定を解除したときの、固定部２４とスイッチ部３０との詳細な構成を示す図である。
【００３２】
固定部２４は、上述したように、スライド部２６と可動部２８とを有する。スライド部２６は、断面略Ｔ字型の形状であり、天井１２に設けられる照明板２０の端部２０ａからスイッチ部３０までの間を延在して形成される。スライド部２６の断面Ｔ字の横画に当たるフランジ部２６ａには、可動部２８が、図３に示す矢印方向にスライド可能に嵌合している。可動部２８は、照明板２０の端部２０ａと係合する係合部２８ａと、スイッチ部３０に当接する当接部２８ｂと、可動部２８を摘んで操作するためのノブ２８ｃとを有する。
【００３３】
スイッチ部３０は、これの内部に設けられた電気的な接点（図示せず）をオンオフするための操作部３０ａを有する。操作部３０ｂは、後述するように、当接部２８ｂにより押圧操作される。操作部３０ｂが押圧されると、スイッチ部３０は、照明灯１８系統の電気回路を遮断するとともに、非常灯２２系統の電気回路を接続するように制御する。この制御により、照明灯１８が消灯するとともに、非常灯２２が点灯する。一方、操作部３０ｂの押圧が解除されると、スイッチ部３０は、照明灯系統の電気回路を接続するとともに、非常灯２２系統の電気回路を遮断するように制御する。この制御により、照明灯１８が点灯するとともに、非常灯２２が消灯する。
【００３４】
図３に示されるように、可動部２８が照明板２０側に位置しており、係合部２８ａが照明板２０の端部２０ａを挟み込むように係合している。このように固定部２４が照明板２０を固定することにより、天井１２に設けられた照明板２０の位置ずれを防止することができる。
【００３５】
固定部２４が照明板２０を固定している状態から、照明板２０の固定を解除する場合、固定部２４の解除動作が行われる。具体的には、ノブ２８ｃを摘み、可動部２８をスイッチ部３０の方向へ可動させる。そうすると、図４に示されるように、照明板２０の端部２０ａは係合部２８ａから外されるので、照明板２０の固定が解除されるとともに、照明板２０の端部２０ａは下方に移動する。
【００３６】
また、可動部２８は、スイッチ部３０の方向に移動し、当接部２８ｂがスイッチ部３０の操作部３０ｂに当接して押圧する。この操作部３０ｂの押圧操作により、スイッチ部３０は、照明灯１８を消灯させるとともに、非常灯２２を点灯させる。
【００３７】
一方、照明板２０の固定が解除されている状態から、固定部２４が照明板２０を固定する場合、固定部２４の固定動作が行われる。具体的には、照明板２０を天井１２に配置される位置にセットしながら、ノブ２８ｃを摘み、可動部２８を照明板２０の方向へ可動させる。そうすると、図３に示されるように、照明板２０の端部は係合部２８ａに係合され、照明板２０が固定されるとともに、当接部２８ｂがスイッチ部３０から離れるので操作部３０ｂの押圧操作が解除される。この操作部３０ｂの押圧操作の解除により、スイッチ部３０は、照明灯１８を点灯させるとともに、非常灯２２を消灯させる。
【００３８】
次に、照明灯１８が故障した場合、故障した照明灯１８から新規の照明灯１８に交換する交換作業の手順について、図５を用いて説明する。図５は、照明灯１８の交換作業を示す図である。
【００３９】
図５（ａ）に示されるように、照明板２０は固定部２４を介して天井１２に固定されている。まず、固定部２４の可動部２８を、図５（ｂ）に示す矢印方向、すなわちスイッチ部３０の方向に可動させる。
【００４０】
そうすると、照明板２０の固定が解除されるので、照明板２０は、連結部３２を中心に下方に回動して、照明箱１６の内部が露出する。また、可動部２８がスイッチ部３０に当接して押圧操作が行われるので、照明灯１８が消灯するとともに、非常灯２２が点灯する。
【００４１】
そして、故障した照明灯１８を照明箱１６から取り外し、新規の照明灯１８を照明箱１６に取り付ける。その後、照明板２０を天井１２に取り付けて、可動部２８を照明板２０の方向に可動させることで、照明板２０が天井１２に固定される。また、可動部２８の可動によりスイッチ部３０に対する押圧操作が解除されるので、照明灯１８が点灯するとともに、非常灯２２が消灯する。これにより、照明灯１８の交換作業が終了する。
【００４２】
本実施形態に係る照明装置１４によれば、操作盤のスイッチを操作せずに固定部２４の解除動作に連動して照明灯１８を消灯させることができるので、操作盤の鍵を用意する必要はなくなり、作業効率の向上を図ることができる。また、固定部２４の解除動作に連動して非常灯２２を点灯させることができるので、仮設の照明器具等を用意する必要はなくなり、作業効率の向上を図ることができる。さらに、照明板２０は回動可能な連結部３２を介して天井１２に連結されているため、天井１２から取り外した照明板２０の取り扱いに注意する必要はなくなり、作業効率の向上を図ることができる。
【００４３】
本実施形態においては、照明装置１４が乗りかご１０の天井１２に設けられている場合について説明したが、この構成に限定されない。照明装置１４が乗りかご１０の壁に設けられていてもよい。
【００４４】
本実施形態では、可動部２８がスライド部２６にスライド可能に嵌合している場合について説明したが、可動部２８の可動により、容易に照明板２０を固定し、そしてこの固定を解除することができるのであれば、この構成に限定されない。例えば、固定部２４が軸を有し、可動部２８がこの軸を中心に回動可能に設けられる構成であってもよい。可動部２８を回動するように可動させることにより、可動部２８を照明板２０と係合させることができる。一方、照明板２０と係合した可動部２８を回転するように可動させることにより、照明板２０との係合を解除させるとともに、可動部２８をスイッチ部３０に当接させることができる。
【図面の簡単な説明】
【００４５】
【図１】本実施形態に係るエレベータの照明装置の概略構成を示す図である。
【図２】照明装置の詳細な構成を示す図である。
【図３】固定部が照明板を固定しているときの、固定部とスイッチ部との詳細な構成を示す図である。
【図４】固定部が照明板の固定を解除したときの、固定部とスイッチ部との詳細な構成を示す図である。
【図５】（ａ）は、天井に照明板を固定しているときの照明装置の構成を示す図であり、（ｂ）は、照明板の固定を解除したときの照明装置の構成を示す図である。
【符号の説明】
【００４６】
１０  乗りかご、１２  天井、１４  照明装置、１６  照明箱、１８  照明灯、２０  照明板、２２  非常灯、２４  固定部、３０  スイッチ部、３２  連結部。
【図１】
2010132446.tif 000003
【図２】
2010132446.tif 000004
【図３】
2010132446.tif 000005
【図４】
2010132446.tif 000006
【図５】
2010132446.tif 000007